(57)【特許請求の範囲】
【請求項１】
立て形構造であり、ほぼ矩形で、プレス区域と充填区域とに分かれ、別々のフロントドアによって閉鎖された縦穴部の構造を有し、該縦穴部内を機械的に鉛直に移動させられるプレスラムと、前記縦穴部の、複数の壁の所の、圧縮すべき材料に対する複数のスペーサ部材および複数の保持爪とを有する廃棄物プレスにおいて、
前記スペーサ部材（４）が、前記プレス（１）の前記縦穴部（Ｓ）の前記充填区域（Ｅ）内で後壁（Ｒ）および／または前記フロントドア（２）の内側（２ａ）に定置されていることと、
前記保持爪（５、６）が、既に前記縦穴部の下部区域、すなわち前記プレス区域（Ｐ）内に圧縮された材料、または完成したがまだ結束されていない集積物のために、前記縦穴部（Ｓ）の前記プレス区域（Ｐ）内で前記後壁（Ｒ）と前記フロントドア（３）の、複数の貫通口（Ｄ）内に揺動可能であることと、
を組み合わせたことを特徴とする廃棄物プレス。
【請求項２】
前記スペーサ部材（４）は、水平方向に互いに横方向間隔（ＣおよびＣ１）をおいて配置されており、それらの自由な端部（４ａ）がほぼ鈍角に形成されており、
前記スペーサ部材（４）は前記充填区域（Ｅ）の前記フロントドア（２）の全高にわたって延びており、他の前記フロントドア（３）の上部区域にある短い別の継ぎ足し部分（４ｂ）に続いている、請求項１に記載の廃棄物プレス。
【請求項３】
前記スペーサ部材（４）は、前記縦穴部の前記後壁（Ｒ）と前記フロントドアの内側（２ａ）とで互いに異なる横方向間隔（ＣおよびＣ１）を有する、請求項１または２に記載の廃棄物プレス。
【請求項４】
前記保持爪（５、６）は、前記貫通口（Ｄ）内に自由に揺動して入るように、前記プレス区域（Ｐ）内で水平の揺動ボルトによって吊り下げられ、負荷されない状態の時、それらの先端部（５ａ，６ａ）のみが前記縦穴部（Ｓ）内に突き出ており、
前記保持爪（５および６）は前記フロントドア（３）の所と前記後壁（Ｒ）の所とで互いに異なる横方向間隔（ｄおよびｄ１）と鉛直方向間隔（ａまたはａ１）をおいて、かつ前記スペーサ部材（４）に対して横方向にずれて（ｂまたはｂ１）配置されている、請求項１ないし３のいずれか１項に記載の廃棄物プレス。
【請求項５】
前記保持爪（５および６）は、下側（５ｂまたは６ｂ）に段差または歯が付けられた種々の底部形状を有する、請求項４に記載の廃棄物プレス。
【請求項６】
前記保持爪（５および６）はそれぞれ少なくとも対を形成して互いに隣接し（５、５．．．）、かつ上下に平行に（５、６）配置されており、それらのうちの上部列（５、５．．．）が前記プレスラム（Ｋ）の最も低い位置の上方にある、請求項１から５のいずれか１項に記載の廃棄物プレス。
【発明の詳細な説明】
【０００１】
【発明の属する技術分野】
本発明は、ボール箱、フォイルなどの使用済み梱包材料などを梱包するための廃棄物プレス、特に立て形プレス構造、すなわち鉛直方向に作動するプレスラムを有する廃棄物プレスにおけるスペーサ部材と保持爪の協働装置に関するものである。
【０００２】
【従来の技術】
プレス工程中に廃棄物材料がプレスプレートとプレスの縦穴部の壁の間に入るのを防ぐためのスペーサ部材を縦穴部の充填区域に有する廃棄物プレスは、かなり以前から知られている。さらに、これらの公知の廃棄物プレスでは、先端部をプレス方向に向けた保持爪がプレスの縦穴部内に設けられている。これらの先端部は、圧力を除くと多かれ少なかれ反発する材料を押さえ付ける働きをする。特にフォイル廃棄物や、種々の硬さの材料や、これらの材料を多く含んだ材料をプレスするときに、これらの材料もやはり反発して、縦穴部の充填部内に効果的に押さえ付けられずに、堅い爪によって裂け目ができたり、引き裂かれたりする。この場合には、新しい廃棄物材料は比較的わずかしか補充できない。
【０００３】
【発明が解決しようとする課題】
それゆえ、本発明の課題は、このような短所を取り除き、冒頭に記載した材料をプレスするときも圧力を除いた後にこれらの材料をプレスの縦穴部内に十分押さえ付ける、新しい種類および構成のスペーサ部材および保持爪を提供することにある。
【０００４】
【課題を解決するための手段】
本発明において、上記の課題は、前提部に記載された廃棄物プレスにおいて、請求項１の特徴部に記載した特徴によって解決される。さらに、本発明の解決の好適な構成が従属請求項２ないし６に記載されている。
【０００５】
本発明の特徴は、何よりもプレスの縦穴部内に定置されたスペーサ部材と、縦穴部の下部区域内に自動的に揺動して出入できる保持爪とを組み合わせて協働するようにしたことである。この新しい構造により、各々のプレス行程で、あらかじめ圧縮されて圧力を除いた後に再び膨張する材料が、従来よりはるかによく押さえ付けられるので、縦穴部の充填部をほぼ完全に充填に利用できる。
【０００６】
【発明の実施の形態】
以下に、本発明を図面に極めて図式的に示した実施形態に基づいて詳細に説明する。
【０００７】
図１に示した種類の廃棄物プレスの基本構造と機能は、すでに公知であることを前提とする。図面の個々の項目の説明は、参照符号一覧表に記載されている。このことは、充填区域Ｅにおける鉛直なスペーサ部材４の意味と機能にもあてはまる。
【０００８】
さて、図示のプレスの新規性と特殊性は、次の個別特徴の一般的な組み合わせにある。
ａ）スペーサ部材４がプレス１の縦穴部Ｓの充填区域Ｅ内の後壁Ｒおよび／またはフロントドア２の内側２ａに定置されていることと、
ｂ）保持爪５および６が、すでに縦穴部の下部区域、すなわちプレス区域Ｐ内に圧縮された材料または完成したがまだ結束されていない集積物のために、縦穴部Ｓにおけるプレス区域Ｐの後壁Ｒとフロントドア３との貫通口Ｄ内に揺動可能であること。
【０００９】
具体的な構造および構成において、個々の部材は、このような特徴を組み合わせる際、次の本質的な特徴を有する。
ｃ）スペーサ部材４が互いに水平の横方向間隔ＣおよびＣ１をおいて配置されていて、それらの自由な端部４ａがほぼ鈍角に形成されている（図３）。
ｄ）スペーサ部材４が充填区域Ｅのフロントドア２の全高にわたって延びていて、フロントドア３の上部区域にある短い別の継ぎ足し部分４ｂに続いている。
【００１０】
縦穴部Ｓの後壁Ｒおよびフロントドア２の内側２ａでスペーサ部材４が互いに種々の横方向間隔ＣおよびＣ１を有することは、以下になお詳細に説明する保持爪５および６の配置と構成に鑑みて構造上必要である。
【００１１】
保持爪に関しては、次の点が重要である。
ｅ）保持爪５、６がプレス区域Ｐ内で水平な揺動ボルトによって貫通口Ｄに自由に揺動して入るように吊り下げられていて（図２）、負荷されない状態ではそれらの先端部５ａ，６ａのみが縦穴部Ｓ内に突き出している。
ｆ）保持爪５および６がフロントドア３および後壁Ｒで互いに種々の横方向間隔ｄおよびｄ１と鉛直方向間隔ａまたはａ１をおいて、かつスペーサ部材４に対して横方向ｂまたはｂ１にずれて配置されている。
【００１２】
さらに、保持爪５および６が、下側５ｂまたは６ｂに段差または歯が付けられた種々の底部形状を有し、これらの保持爪がそれぞれ少なくとも対を形成して互いに隣接し（５、５．．．）、かつ上下に平行に（５、６）配置されていて、それらのうちの上部列５、５．．．がプレスラムＫの最も低い位置の上方にあることが、機能的に重要である。
【００１３】
さらに、上部保持爪５、５．．．の寸法の方が大きいことによって、これらは反発する材料のゆえに、縦穴部Ｓのプレス部Ｐ内に下部保持爪６、６よりも大きく揺動して入り（これについては図２の破線の表現５′および６′参照）、集積物の上側に必要な保持作用を及ぼす。その際、ストッパ５ｃおよび６ｃは、保持爪５および６の自由な運動のそれぞれの最終位置を規定している。それぞれのプレスラムＫが最終的に縦穴部Ｐの壁にできるだけ接近できるように、ラムプレートには、図示されない仕方で、スペーサ部材４および保持爪５、６に対応する開口部が付けられている。
【図面の簡単な説明】
【図１】  フロントドアが開かれた廃棄物プレスの正面図である。
【図２】  図１のＡ−Ａで切断した部分を拡大した断面図である。
【図３】  図１のＢ−Ｂで切断した部分を同じ縮尺で拡大した断面図である。
【符号の説明】
１  プレス
２  フロントドア（充填区域）
２ａ  内側
３  フロントドア（プレス区域）
３ａ  内側
３ｂ  ブレース、衝止板
４  スペーサ部材
４ａ  自由な端部
４ｂ  継ぎ足し部分
５  上部保持爪
５ａ  先端部
５ｂ  下側
５ｃ  ストッパ
６  下部保持爪
６ａ  先端部
６ｂ  下側
６ｃ  ストッパ
７  揺動ボルト
Ｂ  底面
Ｄ  貫通口
Ｅ  充填区域
Ｋ  プレスラム
Ｐ  プレス区域
Ｒ  後壁
Ｓ  縦穴部
【図１】
0003727988.tif 000002
【図２】
0003727988.tif 000003
【図３】
0003727988.tif 000004